(57)【要約】【課題】本発明は、移動無線通信システムに関し、車両等の移動体に搭載された移動無線ＬＡＮ中継局を含むネットワークを構築することを目的とする。【解決手段】移動無線通信システムは、無線ＬＡＮを用いた移動無線通信システムであって、移動無線ＬＡＮ中継局１との間で通信を行う無線ＬＡＮ基地局２と、移動体に搭載され無線ＬＡＮ基地局２と無線ＬＡＮクライアント３〜７との間の通信の中継を行う移動無線ＬＡＮ中継局１と、移動無線ＬＡＮ中継局１との間で通信を行う無線ＬＡＮクライアント３〜７とを備える。【選択図】    図１
2004297445.tif 000002
【特許請求の範囲】
【請求項１】
無線ＬＡＮを用いた移動無線通信システムであって、
移動無線ＬＡＮ中継局との間で通信を行う無線ＬＡＮ基地局と、
移動体に搭載され、前記無線ＬＡＮ基地局と無線ＬＡＮクライアントとの間の通信の中継を行う移動無線ＬＡＮ中継局と、
前記移動無線ＬＡＮ中継局との間で通信を行う無線ＬＡＮクライアントとを備える
ことを特徴とする移動無線通信システム。
【請求項２】
前記移動無線ＬＡＮ中継局は、前記無線ＬＡＮ基地局から受信したデータを、自局に対するデータとして受信する
ことを特徴とする請求項１に記載の移動無線通信システム。
【請求項３】
前記移動無線ＬＡＮ中継局は、更に、当該通信を他の移動無線ＬＡＮ中継局に中継する
ことを特徴とする請求項１に記載の移動無線通信システム。
【請求項４】
前記無線ＬＡＮ基地局はインターネットに接続され、
当該移動無線通信システムはそのプロトコルとしてＩＰｖ６を用いる
ことを特徴とする請求項１に記載の移動無線通信システム。
【請求項５】
移動体に搭載され、
無線ＬＡＮ基地局と無線ＬＡＮクライアントとの間の通信の中継を行う移動無線中継装置であって、
前記無線ＬＡＮ基地局から受信したデータを、自局に対するデータとして受信するか、又は、前記無線ＬＡＮクライアントに送信し、
前記無線ＬＡＮクライアントから受信したデータを、前記無線ＬＡＮ基地局に送信する
ことを特徴とする移動無線中継装置。
【請求項６】
無線ＬＡＮを用いた移動無線通信方法であって、
無線ＬＡＮ基地局が、移動体に搭載されている移動無線ＬＡＮ中継局との間で通信を行い、
前記移動無線ＬＡＮ中継局が、前記無線ＬＡＮ基地局と無線ＬＡＮクライアントとの間の通信の中継を行い、
前記無線ＬＡＮクライアントが、前記移動無線ＬＡＮ中継局との間で通信を行う
ことを特徴とする移動無線通信方法。
【発明の詳細な説明】
【０００１】
【発明の属する技術分野】
本発明は、移動無線通信システム、移動無線中継装置、移動無線通信方法に関し、特に、車両等の移動体に搭載された移動無線ＬＡＮ中継局を含むネットワークを構築した移動無線通信システム、移動無線中継装置、移動無線通信方法に関する。
【０００２】
【従来の技術】
図９は、従来の無線通信システムの一例を示す。この無線（ＬＡＮ）通信システムは、無線ＬＡＮ基地局２０２から固定無線ＬＡＮ中継局２０１へ、そして固定無線ＬＡＮ中継局２０１から、無線ＬＡＮクライアント（クライアント端末）２０３〜２０７や他の固定無線ＬＡＮ中継局２０１への通信を行い、これらを介して、例えばインターネット２１１から取得したデータを、無線ＬＡＮクライアント２０３〜２０７に配信する。インターネット２１１と無線ＬＡＮ基地局２０２との間には、ＩＳＰ基地局２０８、通信事業者（の通信施設）２０９、ＩＴＳ基地局２１０が設けられる。
【０００３】
例えば、無線ＬＡＮクライアント２０３がインターネット２１１を通じてデータを取得する場合、以下のようにして通信を行う。即ち、無線ＬＡＮクライアント２０３から通信を開始し、ビル等に設置された固定無線ＬＡＮ中継局２０１と接続して通信を確立する。その後、固定無線ＬＡＮ中継局２０１が無線ＬＡＮ基地局２０２と接続して通信を確立する。次に、無線ＬＡＮ基地局２０２がＩＴＳ基地局２１０、ＩＳＰ基地局２０８又は通信事業者２０９との通信を確立し、データ通信を行う。
【０００４】
なお、無線通信システムに関して、移動基地局を用いて特定エリアの利用者に無線媒体を提供する方法が知られている（例えば、特許文献１）。
【０００５】
【特許文献１】
特開平１０−２１０５３４号公報
【０００６】
【発明が解決しようとする課題】
しかし、無線ＬＡＮの固定局（基地局２０２、中継局２０１）の設置数は、利用する無線ＬＡＮクライアント２０３等の数（以下、ユーザ数）に応じて設置しなければならない場合が多い。また、無線ＬＡＮの固定局（基地局２０２、中継局２０１）はビル等に設置するのが一般的であるので、ユーザ数が増加すればビル等に設置する当該固定局数も増加し、通信基盤の整備のためのコストが増大することになる。また、固定無線ＬＡＮ中継局２０１は、ユーザ数が多くなると、１クライアント当たりの利用可能帯域が減少するため、固定無線ＬＡＮ中継局２０１に搭載する通信機器を追加する必要が出てくる。
【０００７】
なお、特許文献１においては、移動基地局を特定の地域的エリアに移動させた上で利用者の端末に配信するものであり、中継局を経由した通信は想定されていない。
【０００８】
一方、本発明者の検討によれば、近年、例えば、ＩＴＳ（高度道路交通システム）の分野において、インターネット技術を利用した技術が実現しようとしている。ＩＴＳにインターネット技術を利用すれば、例えば、車載の無線中継機を搭載した走行車両が、インターネットを通じて収集した大量のデータを加工して、各車両に渋滞情報や気象情報、そして、走行中の車両の位置に応じた店舗情報や観光情報など多方面にわたる情報の提供を可能とする情報ネットワークサービスが構築できる。
【０００９】
以上から、ＩＴＳとインターネットとを統合できれば、利用者にとって便利である。この時、更に、ＩＴＳとインターネットとを統合した無線装置を、中継装置（中継局）として利用すれば、大規模で構成容易でかつ安価な無線システムを構築することができる。この時、当該無線中継装置を搭載した車両は移動無線ＬＡＮ中継局となり、当該車両の所有者（運転者）は、無線ＬＡＮクライアントであると同時に、他の無線ＬＡＮクライアントに対する中継局となる。これにより、簡単な構成で安価に、無線通信システムを大規模化し、通信経路を豊富化し、使用帯域を拡張することができる。
【００１０】
本発明は、車両等の移動体に搭載された移動無線ＬＡＮ中継局を含むネットワークを構築する移動無線通信システムを提供することを目的とする。
【００１１】
また、本発明は、車両等の移動体に搭載された移動無線ＬＡＮ中継局を含むネットワークを構築する移動無線中継装置を提供することを目的とする。
【００１２】
また、本発明は、車両等の移動体に搭載された移動無線ＬＡＮ中継局を含むネットワークを構築する移動無線通信方法を提供することを目的とする。
【００１３】
【課題を解決するための手段】
本発明の移動無線通信システムは、無線ＬＡＮを用いた移動無線通信システムであって、移動無線ＬＡＮ中継局との間で通信を行う無線ＬＡＮ基地局と、移動体に搭載され無線ＬＡＮ基地局と無線ＬＡＮクライアントとの間の通信の中継を行う移動無線ＬＡＮ中継局と、移動無線ＬＡＮ中継局との間で通信を行う無線ＬＡＮクライアントとを備える。
【００１４】
本発明の移動無線中継装置は、移動体に搭載され、無線ＬＡＮ基地局と無線ＬＡＮクライアントとの間の通信の中継を行う移動無線中継装置であって、無線ＬＡＮ基地局から受信したデータを自局に対するデータとして受信するか又は無線ＬＡＮクライアントに送信し、無線ＬＡＮクライアントから受信したデータを前記無線ＬＡＮ基地局に送信する。
【００１５】
本発明の移動無線通信方法は、無線ＬＡＮを用いた移動無線通信方法であって、無線ＬＡＮ基地局が移動体に搭載されている移動無線ＬＡＮ中継局との間で通信を行い、移動無線ＬＡＮ中継局が無線ＬＡＮ基地局と無線ＬＡＮクライアントとの間の通信の中継を行い、無線ＬＡＮクライアントが移動無線ＬＡＮ中継局との間で通信を行う。
【００１６】
本発明の移動無線通信システム、移動無線中継装置、移動無線通信方法によれば、無線システムの中継局として、車両等の移動体に搭載された移動無線中継装置（移動中継局）を用いることにより、固定の中継局の設置を不要とし、又は、少なくすることができる。従って、クライアントの増加に応じて固定の中継局を増やす必要もなく、通信基盤の整備のためのコストの増大を回避し、１クライアント当たりの利用可能帯域の減少を回避することができ、固定の中継局に搭載する通信機器を追加することを回避することができる。以上により、簡単な構成で安価に、移動無線通信システムを大規模化し、通信経路を豊富化し、使用帯域を拡張することができる。
【００１７】
【発明の実施の形態】
図１は、移動無線通信システム構成図であり、本発明の移動無線通信システムの構成の一例を示す。
【００１８】
移動無線通信システムは、無線ＬＡＮを用いた通信ネットワークシステムであって、移動無線ＬＡＮ中継局１、無線ＬＡＮ基地局２、複数の無線ＬＡＮクライアント（クライアント端末）３〜７、ＩＳＰ基地局８、通信事業者９、ＩＴＳ（高度道路交通システム）基地局１０を備える。この無線通信システムにおいては、無線ＬＡＮ基地局２が移動無線ＬＡＮ中継局１との間で通信を行い、移動無線ＬＡＮ中継局１が無線ＬＡＮ基地局２と無線ＬＡＮクライアント３〜７との間の通信の中継を行い、無線ＬＡＮクライアント３〜７が移動無線ＬＡＮ中継局１との間で通信を行う。
【００１９】
無線ＬＡＮ基地局２は、移動無線ＬＡＮ中継局１との間で通信を行う。また、無線ＬＡＮ基地局２は、ＩＳＰ（インターネットサービスプロバイダ）基地局８、通信事業者（の設置する基地局）９、ＩＴＳ基地局１０のいずれかを介して、インターネット１１に接続され、これを介して他のコンピュータ等との間で通信を行うる。例えば、無線ＬＡＮ基地局２は、インターネット１１を通じてデータを取得し、取得したデータを移動無線ＬＡＮ中継局１に送信する。
【００２０】
即ち、図２に示すように、ＩＳＰ基地局８、通信事業者９、ＩＴＳ基地局１０は、インターネット１１に接続され、また、無線ＬＡＮ基地局２と接続される。無線ＬＡＮ基地局２は、ＩＳＰ基地局８又は通信事業者９又はＩＴＳ基地局１０との通信を確立して、インターネット１１から各種情報を取得する。
【００２１】
この例では、無線ＬＡＮ基地局２はインターネット１１に接続される。そこで、この移動無線通信システムは、その内部のプロトコルとしてＩＰｖ６（インターネットプロトコルバージョン６）を用いる。即ち、インターネット１１に容易に接続すると共に、ＩＰｖ６の経路処理の高速化、フローラベル機能により、（ＩＰｖ６に従う以外には）特別の装置等を用いることなく、移動無線ＬＡＮ中継局１の設置を可能とする。
【００２２】
移動無線ＬＡＮ中継局１は、建物等にではなく、本発明に従って、一般の自動車（乗用車、トラック等）、オートバイのような車両等の移動体（以下、単に車両）に搭載される。移動無線ＬＡＮ中継局１は、無線ＬＡＮ基地局２と無線ＬＡＮクライアント３〜７との間の通信の中継を行う。即ち、移動無線ＬＡＮ中継局１は、無線ＬＡＮ基地局２から受信したデータを、自局に対するデータとして受信するか、又は、無線ＬＡＮクライアント３〜７に送信する。移動無線ＬＡＮ中継局１は、無線ＬＡＮクライアント３〜７から受信したデータを、無線ＬＡＮ基地局２に送信する。このために、移動無線ＬＡＮ中継局１は、無線ＬＡＮクライアント３〜７又は無線ＬＡＮ基地局２との通信を確立し、無線ＬＡＮクライアント３〜７又は無線ＬＡＮ基地局２から送信されたデータを受信し、受信したデータの送信経路を決定し、決定した経路に基づいてデータを送信する。例えば、移動無線ＬＡＮ中継局１は、無線ＬＡＮ基地局２から受信したデータを無線ＬＡＮクライアント３〜７に送信する。
【００２３】
また、移動無線ＬＡＮ中継局１は、無線ＬＡＮ基地局２から受信したデータが自局に対するデータである場合、これを自局に対するデータとして受信する。更に、移動無線ＬＡＮ中継局１は、当該通信を他の移動無線ＬＡＮ中継局１に中継する。また、無線ＬＡＮ基地局２は、他の無線ＬＡＮ基地局２とも通信を行うこともできる。即ち、図３に示すように、複数の無線ＬＡＮ基地局２と、複数の車両に搭載された移動無線ＬＡＮ中継局１との接続経路は、種々選択可能である。これにより、１個の通信経路が使用（通信帯域が全て使用）されていても、他の通信経路を代替経路として利用することができる。なお、図３（及び他の図）において、実際は、２個の無線ＬＡＮ基地局２を示す。
【００２４】
無線ＬＡＮクライアント３〜７は、移動無線ＬＡＮ中継局１との間で通信を行う。例えば、無線ＬＡＮクライアント３〜７は、移動無線ＬＡＮ中継局１と通信してデータを受信する。無線ＬＡＮクライアント３は、例えば持ち運び可能で屋外でも無線ＬＡＮと接続可能なノート型のパーソナルコンピュータである。無線ＬＡＮクライアント４は、例えばＳＯＨＯの無線ＬＡＮと接続可能なパーソナルコンピュータである。無線ＬＡＮクライアント５は、例えば利用者の家庭（ホーム）に設置された無線ＬＡＮと接続可能なパーソナルコンピュータである。無線ＬＡＮクライアント６及び７は、例えば店舗に設置された無線ＬＡＮと接続可能なパーソナルコンピュータである。
【００２５】
図４に示すように、複数台の車両に搭載された移動無線ＬＡＮ中継局１と、無線ＬＡＮクライアント３〜７との接続経路は、種々の選択が可能である。無線ＬＡＮクライアント３〜７は、移動無線ＬＡＮ中継局１と通信し、（インターネット１１から）移動無線ＬＡＮ中継局１が取得した情報を受信する。１台の移動無線ＬＡＮ中継局１が中継範囲外になった場合には、無線ＬＡＮクライアント３〜７は、他の移動無線ＬＡＮ中継局１との通信が可能である。
【００２６】
従って、図５に示すように、屋外の無線ＬＡＮクライアント３、ＳＯＨＯの無線ＬＡＮクライアント４、ホームにおける無線ＬＡＮクライアント５は、それぞれ移動無線ＬＡＮ中継局１を搭載して道路１０４を走行中の複数の車両を経由して、無線ＬＡＮ基地局２から送信されたデータを取得することができる。なお、図５において、破線はデータの送受信関係を示す。
【００２７】
このように、既存の移動体に移動無線ＬＡＮ中継局１を搭載することにより、移動無線ＬＡＮ中継局１間の通信ができ、また、複数の移動無線ＬＡＮ中継局１から固定の無線ＬＡＮクライアント３〜７の端末にデータ送受信することが可能となる。例えば、無線ＬＡＮクライアント３〜７が一つの移動無線ＬＡＮ中継局１との通信に失敗した場合でも、他の移動無線ＬＡＮ通信局１との間で通信を行うことができる。また、無線ＬＡＮクライアント３〜７の近傍に多数の移動無線ＬＡＮ中継局（である車両）が存在する場合、当該無線ＬＡＮクライアント３〜７における利用帯域を、大幅に増加することができる。
【００２８】
また、例えば、移動無線ＬＡＮ中継局１を、（大容量の）ハードディスクを搭載するパーソナルコンピュータで構成し、これをプロキシサーバとして利用し、インターネット１１からのデータをそのハードディスクに格納することができる。これにより、移動無線ＬＡＮ中継局１からの中継範囲にある無線ＬＡＮクライアント３〜７からの高速なデータアクセスが可能となる。更に、無線ＬＡＮクライアント３〜７が移動無線ＬＡＮ中継局１の中継範囲に無い場合は、既存の固定無線ＬＡＮ中継局（図示せず）とのデータ送受信をすることで、無線通信システム全体のバックアップ経路として利用することができる。
【００２９】
例えば、図１における３個の移動無線ＬＡＮ中継局１の中で、中央の１個の中継局を固定の中継局とし、残りの２個を移動の中継局とし、無線ＬＡＮクライアント３〜５がこれらの中継範囲に含まれているとする。ここで、例えば当該固定無線ＬＡＮ中継局が故障しても、２個の移動無線ＬＡＮ中継局１により通信を行うことができる。また、固定の中継局の他に２個の移動無線ＬＡＮ中継局１が存在する場合、１個の無線ＬＡＮクライアント３〜５当たり１個の中継局が存在するので、固定無線ＬＡＮ中継局のみの場合よりも広い帯域を使用することができる。更に、無線ＬＡＮクライアント３のみが通信を行い、他が通信をしていない場合、無線ＬＡＮクライアント３は、３個の中継局を使用することができる。即ち、非常に広い帯域を使用して通信を行うことができる。
【００３０】
無線ＬＡＮクライアント３〜７は、車両に搭載された移動無線ＬＡＮ中継局１と通信を確立する。また、無線ＬＡＮクライアント３〜７は、無線ＬＡＮ基地局２と直接通信を確立する場合もある。移動無線ＬＡＮ中継局１は、無線ＬＡＮ基地局２及び無線ＬＡＮクライアント３〜７と通信を確立し、無線ＬＡＮ基地局２から受信した情報を無線ＬＡＮクライアント３〜７又は他の移動無線ＬＡＮ中継局１に送信する。無線ＬＡＮ基地局２は、例えば、ＩＳＰ基地局８又は通信事業者９又はＩＴＳ基地局１０と通信を確立する。そして、インターネット１１を通じ、情報をＩＳＰ基地局８又は通信事業者９又はＩＴＳ基地局１０経由で各種情報を取得し、取得した情報を移動無線ＬＡＮ中継局１又は無線ＬＡＮクライアント３〜７に送信する。
【００３１】
屋外の無線ＬＡＮクライアント３は、移動無線ＬＡＮ中継局１を搭載した他人の車両が近づけば、この車両と通信し、インターネット１１を通じた各種情報を取得することができる。また、例えばＳＯＨＯの無線ＬＡＮクライアント４は、移動無線ＬＡＮ中継局１を搭載した会社の車両と通信することができる他、周囲に移動無線ＬＡＮ中継局１を搭載した他の車両が通行していれば、この車両と通信することができる。ホームにおける無線ＬＡＮクライアント５、店舗における無線ＬＡＮクライアント６及び７についても、同様に、周囲を通行している移動無線ＬＡＮ中継局１を搭載した車両と通信することができる。また、ホームにおける無線ＬＡＮクライアント５や、店舗における無線ＬＡＮクライアント６及び７は、通常はホーム又は店舗に駐車している移動無線ＬＡＮ中継局１を搭載した車両と通信するが、この車両が外出中である場合には、周囲を通行している移動無線ＬＡＮ中継局１を搭載した他の車両と通信することが可能である。
【００３２】
図６は移動無線通信処理フローであり、本発明の移動無線通信システムにおける通信確立の処理の概要を示す。
【００３３】
無線ＬＡＮクライアント３〜７が、通信を開始し（ステップＳ１）、車両に搭載した移動無線ＬＡＮ中継局１のいずれかとの接続が可能か否かを調べ（ステップＳ２）、接続が可能であれば、当該接続が可能な移動無線ＬＡＮ中継局１との通信を確立する（ステップＳ３）。無線ＬＡＮクライアント３〜７は、通信の依頼を出力し、これに対する応答を最も早く返信した移動無線ＬＡＮ中継局１との間で通信を行う。最初に応答する移動無線ＬＡＮ中継局１は、通常、最も近い位置に存在する車両に搭載された移動無線ＬＡＮ中継局１である。なお、無線ＬＡＮクライアント３〜７の近くを移動無線ＬＡＮ中継局１（を載せた車両）が走行していない場合、当該エリアを管轄する固定の無線ＬＡＮ中継局と通信を行うことになる。
【００３４】
無線ＬＡＮクライアント３〜７との通信を確立した移動無線ＬＡＮ中継局１は、無線ＬＡＮ基地局２と通信を確立する（ステップＳ４）。移動無線ＬＡＮ中継局１との通信を確立した無線ＬＡＮ基地局２は、ＩＳＰ基地局８、通信事業者９又はＩＴＳ基地局１０と通信を確立する（ステップＳ５）。無線ＬＡＮ基地局２との通信を確立したＩＳＰ基地局８等は、インターネット１１との間で通信を確立して（ステップＳ６）、処理を終了する。
【００３５】
ステップＳ２において移動無線ＬＡＮ中継局１に接続できない場合、無線ＬＡＮクライアント３〜７は、更に、他の移動無線ＬＡＮ中継局１との接続が可能か否かを調べる（ステップＳ７）。他の移動無線ＬＡＮ中継局１との接続が可能である場合、ステップＳ３に進み、当該接続が可能な移動無線ＬＡＮ中継局１との通信を確立する。他の移動無線ＬＡＮ中継局１との接続ができない場合、ステップＳ２に戻る。即ち、いずれかの移動無線ＬＡＮ中継局１と接続するまで、処理を繰り返す。
【００３６】
図７は、移動無線通信システム構成図であり、本発明の移動無線通信システムの一例の詳細な構成を示す。図７において、矢印を付した実線は通信の流れを示し、実線は有線を示し、破線は無線を示し、「ＩＴＳ」は、高度道路交通システムの受信装置、「ＰＳ」はプロキシサーバ等の管理サーバ、「無ＬＡＮ」は無線ＬＡＮ（送受信）装置、「Ｒ」はルータ／Ｌ３・Ｌ４スイッチ、「ＰＨＳ／携」はＰＨＳ／携帯電話を示す。
【００３７】
この例は、ＳＯＨＯにおける無線ＬＡＮクライアント４又はホームの無線ＬＡＮクライアント５が無線通信を行って、インターネット１１からデータを取得する場合の例を示す。
【００３８】
無線ＬＡＮ基地局２は、ルータ／Ｌ３・Ｌ４スイッチ（以下、単にルータという、以下同じ）２１、２２、無線ＬＡＮ装置２３、ＰＨＳ／携帯電話２４を備える。移動無線ＬＡＮ中継局１は、無線ＬＡＮ装置１３、１５、１６（左側にのみ備える）、ルータ１２、１４、ＩＴＳ１７、ＰＳ１８を備える。無線ＬＡＮクライアント４は、無線ＬＡＮ装置４１、４３、４４、ルータ４２、クライアント端末４５、４６、ＰＨＳ／携帯電話４７を備える。無線ＬＡＮクライアント５も、同様に、無線ＬＡＮ装置５１、５３、５４、ルータ５２、クライアント端末５５、５６、ＰＨＳ／携帯電話５７を備える。なお、無線ＬＡＮ基地局２とインターネット１１との間に、図示しないが、ＩＳＰ基地局８等が存在する。
【００３９】
無線ＬＡＮ基地局２において、ルータ２１が、インターネット１１からのデータを複数のルータ２２の複数の経路に分散して、データを送受信する。各ルータ２２は、ルータ２１と通信し、複数の無線ＬＡＮ装置２３及びＰＨＳ／携帯電話２４との間でデータを送受信する。例えば、無線ＬＡＮ装置２３は、経路Ａのように、移動無線ＬＡＮ中継局１の１個の無線ＬＡＮ装置１６との間で、データを送受信する。
【００４０】
移動無線ＬＡＮ中継局１において、無線ＬＡＮ装置１５、１６が、無線ＬＡＮ基地局２の無線ＬＡＮ装置２３との間でデータを送受信する。無線ＬＡＮ装置１５は、他の移動無線ＬＡＮ中継局１の無線ＬＡＮ装置１５との間でデータを送受信する（経路Ｃ）。無線ＬＡＮ装置１６が、ルータ１２を経由して、無線ＬＡＮ装置１３との間でデータ送受信する。
【００４１】
ルータ１２は、ＩＴＳ１７やＰＳ１８、ルータ１４と接続されている。ルータ１２は、無線ＬＡＮ装置１３と接続し、データを送受信する。例えば、無線ＬＡＮ装置１３は、経路Ｂを通じて、無線ＬＡＮクライアント５の無線ＬＡＮ装置５１との間でデータを送受信する。
【００４２】
無線ＬＡＮクライアント５において、無線ＬＡＮ装置５１は、移動無線ＬＡＮ中継局１の無線ＬＡＮ装置１３との間でデータを送受信する。他の無線ＬＡＮ装置５１は、他の移動無線ＬＡＮ中継局１の無線ＬＡＮ装置１３との間でデータを送受信する（経路Ｄ）。ＰＨＳ／携帯電話５７は、ルータ５２との間でデータを送受信する。ルータ５２は、無線ＬＡＮ装置５１と通信すると共に、無線ＬＡＮ装置５３及びクライアント端末５５とデータを送受信する。無線ＬＡＮ装置５３は、無線ＬＡＮ装置５４を経由して、クライアント端末５６との間でデータを送受信する。
【００４３】
本発明に従って、図７に示すように、２個の移動無線ＬＡＮ中継局１の無線ＬＡＮ装置１５の間でのデータの送受信が行われる場合がある（経路Ｃ）。また、ＰＨＳ／携帯電話５７、４７を利用して、データの送受信が行われる場合がある（経路Ｅ又は経路Ｆ）。更に、これらのデータの送受信の迂回及びバックアップを行うために、Ｍｏｂｉｌｅ  ＩＰ（ＩＰｖ６に従う）３０が用いられる場合がある。
【００４４】
図８は、移動無線通信処理フローを示し、図７の移動無線通信システムにおける無線通信の処理について示す。
【００４５】
ルータ２１が、インターネット１１からのデータを取得し、ルータ２２の複数の経路に分散送信する（ステップＳ１１）。これを受信したルータ２２が、無線ＬＡＮ装置２３及びＰＨＳ／携帯電話２４に当該データを送信する（ステップＳ１２）。これを受信した無線ＬＡＮ装置２３が、移動無線ＬＡＮ中継局１の無線ＬＡＮ装置１６に当該データを送信する（ステップＳ１３）。例えば、このデータ送信は、図７の経路Ａを通じて行われる。
【００４６】
移動無線ＬＡＮ中継局１の無線ＬＡＮ装置１６が、ルータ１２を経由して、ＩＴＳ１７、ＰＳ１８、無線ＬＡＮ装置１３へ当該データを送信する（ステップＳ１４）。これを受信した無線ＬＡＮ装置１３が、無線ＬＡＮクライアント５の無線ＬＡＮ装置５１に当該データを送信する（ステップＳ１５）。例えば、このデータ送信は、図７の経路Ｂを通じて行われる。
【００４７】
無線ＬＡＮ装置５１が、ルータ５２を経由し、クライアント端末５５、無線ＬＡＮ装置５３に当該データを送信する（ステップＳ１６）。これを受信した無線ＬＡＮ装置５３が、無線ＬＡＮ装置５４を経由し、クライアント端末５６に当該データを送信し（ステップＳ１７）、処理を終了する。
【００４８】
一方、バックアップ経路では、ステップＳ１５の後、無線ＬＡＮ装置１６が、ルータ１２、１４を経由して、無線ＬＡＮ装置１５に当該データを送信する（ステップＳ１８）。これを受信した無線ＬＡＮ装置１５が、別の移動無線ＬＡＮ中継局１の無線ＬＡＮ装置１５に当該データを送信する（ステップＳ１９）。例えば、このデータ送信は、図７の経路Ｃを通じて行われる。
【００４９】
そして、経路Ｃの無線ＬＡＮ装置１５が、ル−タ１４を経由して、無線ＬＡＮ装置１３に当該データを送信する（ステップＳ２０）。これを受信した無線ＬＡＮ装置１３が、無線ＬＡＮクライアント５の無線ＬＡＮ装置５１に当該データを送信する（ステップＳ２１）。例えば、このデータ送信は、図７の経路Ｄを通じて行われる。そして、無線ＬＡＮ装置５１が、ルータ５２を経由し、クライアント端末５５、無線ＬＡＮ装置５３に当該データを送信し（ステップＳ２２）、ステップＳ１７に移行する。
【００５０】
同様にして、ルータ２１、ルータ２２、無線ＬＡＮ装置２３、無線ＬＡＮ装置１５、ルータ１２、無線ＬＡＮ装置１３、無線ＬＡＮ装置４１、ルータ４２、無線ＬＡＮ装置４３、無線ＬＡＮ装置４４、クライアント端末４６の経路で、データの送信が行われ、また、バックアップされる。
【００５１】
【発明の効果】
以上説明したように、本発明によれば、移動無線通信システム、移動無線中継装置、移動無線通信方法において、無線システムの中継局として、車両等の移動体に搭載された移動中継局を用いることにより、固定の中継局を不要又は少なくすることができるので、クライアントの増加に応じて固定の中継局を増やす必要もなく、通信基盤の整備のためのコストの増大を回避し、１クライアント当たりの利用可能帯域の減少を回避することができ、固定の中継局に搭載する通信機器を追加することを回避することができる。以上により、簡単な構成で安価に、移動無線通信システムを大規模化し、通信経路を豊富化し、使用帯域を拡張することができる。
【図面の簡単な説明】
【図１】移動無線通信システムの構成の一例を示す図である。
【図２】ＩＳＰ基地局、通信事業者、ＩＴＳ基地局と無線ＬＡＮ基地局との間のデータ通信を示す図である。
【図３】無線ＬＡＮ基地局と移動無線ＬＡＮ中継局との接続経路を示す図である。
【図４】移動無線ＬＡＮ中継局と無線ＬＡＮクライアントとの接続経路を示す図である。
【図５】本発明の適用例を示す図である。
【図６】移動無線通信処理フローである。
【図７】移動無線通信システムの詳細の一例を示す図である。
【図８】図７の移動無線通信システムにおける無線通信の処理について示す。
【図９】従来の無線通信システムを示す図である。
【符号の説明】
１    移動無線ＬＡＮ中継局
２    無線ＬＡＮ基地局
３〜７    無線ＬＡＮクライアント
８    ＩＳＰ基地局
９    通信事業者
１０    ＩＴＳ基地局
１１    インターネット
【図１】
2004297445.tif 000003
【図２】
2004297445.tif 000004
【図３】
2004297445.tif 000005
【図４】
2004297445.tif 000006
【図５】
2004297445.tif 000007
【図６】
2004297445.tif 000008
【図７】
2004297445.tif 000009
【図８】
2004297445.tif 000010
【図９】
2004297445.tif 000011